(57)【特許請求の範囲】
【請求項１】
光線療法用の第１の光の透過率が相対的に低く上記第１の光と補色関係にある第２の光の透過率が相対的に高い透光性材料から成っており、
上記第１及び第２の光を通過させるための開口部が設けられていることを特徴とする保育器のフード用カバー。
【請求項２】
上記透光性材料が柔軟性を有しており、
保育器のフードに設けられている開閉部に対向する面に切れ込みが設けられていることを特徴とする請求項１記載の保育器のフード用カバー。
【請求項３】
上記第１の光が５２０ｎｍ付近の波長の光を最も多く含み４４０ｎｍ付近の波長の光をその次に多く含んでおり、
上記第２の光が６１０ｎｍ付近の波長の光であることを特徴とする請求項１又は２記載の保育器のフード用カバー。
【発明の詳細な説明】
【０００１】
【発明の属する技術分野】
本発明は、保育器のフード内に収容されている新生児などに対して光線治療器を用いて疾病の治療及び／又は予防を行う際に用いられる保育器のフード用カバーに関する。
【０００２】
【従来の技術】
図３は、保育器２１の透明なフード２３の天面２５に光線治療器３１を載置した状態を示している。光線治療器３１は、保育器２１の透明なフード２３内に収容されている新生児などに対して例えば黄疸の治療及び／又は予防を効果的に行えるように、ある特定の波長付近の光を特に多く含む光を照射する場合が多い。
【０００３】
この光線治療器３１は、例えば、点灯時に５２０ｎｍ付近の波長の光が特に多くかつ４４０ｎｍ付近の波長の光も多少多くて緑色に発光するＢＧ形（ブルーグリーン系）蛍光管を５本用いている。そして、これらのＢＧ形蛍光管を点灯させると、図４に示すような特殊な分光特性の光が得られる。
【０００４】
また、本願の出願人は、点灯時に５２０ｎｍ付近の波長の光が特に多くかつ４４０ｎｍ付近の波長の光も多少多くて緑色に発光する４本のＢＧ形蛍光管と、点灯時に６１０ｎｍ付近の波長の光が多くてピンクがかった光（ＢＧ形の蛍光管から発せられる光とほぼ補色関係にある色の光）を発する１本のＰ形（ピンク系）蛍光管とを同時に点灯させ、光の混色によってほぼ白色系の光を得ることができる光線治療器を特願平８−６９３０５号として出願した。
【０００５】
【発明が解決しようとする課題】
新生児などに対して黄疸の治療及び／又は予防を行う場合、その効果を確認するうえで、新生児などの肌の色を観察することが重要である。しかし、光線治療器を使用したままでは、光線治療器から照射されている緑色の光により新生児などの肌の色が緑色に見えて、本当の肌の色を正確に観察することができない。このために、光線治療器の蛍光管を消灯させた後に、新生児などの肌の色を観察していた。
【０００６】
しかし、特殊な分光特性を有する光は、視覚に対する刺激が強いので、この光の色に対する補色の残像を観察者の網膜に生じさせる。従って、光線治療器の蛍光管を消灯しても、残像が観察者の網膜から消失するまでは、観察者は新生児などの本当の肌の色を正確に観察することができなかった。
【０００７】
さらに、光線治療器から発せられる視覚に対する強い刺激を有する光は、この光線治療器が使用されている室内のかなりの範囲に広がり、この室内で作業する看護婦や医師等の眼を疲労させる。
【０００８】
これに対して、特願平８−６９３０５号の光線治療器では、光線治療器の蛍光管を点灯させたままでも新生児などの肌の色を正確に観察することができる。しかしながら、この光線治療器では、Ｐ形蛍光管が劣化すると新生児などの本当の肌の色を正確に観察することができなくなるので、ＢＧ形蛍光管のみならずＰ形蛍光管についても定期的な保守点検及び交換が必要である。しかも、特殊な分光特性の蛍光管は一般の蛍光管に比較して流通量が極めて少なくて高価であるので、ＢＧ形蛍光管及びＰ形蛍光管という複数種類の特殊な分光特性の蛍光管が必要な特願平８−６９３０５号の光線治療器では使用コストが高かった。
【０００９】
【課題を解決するための手段】
本発明による保育器のフード用カバーは、上述した課題を解決するために、光線療法用の第１の光の透過率が相対的に低く上記第１の光と補色関係にある第２の光の透過率が相対的に高い透光性材料から成っており、上記第１及び第２の光を通過させるための開口部が設けられている。
【００１０】
また、上記透光性材料が柔軟性を有しており、保育器のフードに設けられている開閉部に対向する面に切れ込みが設けられていることが望ましい。
【００１１】
さらに、上記第１の光が５２０ｎｍ付近の波長の光を最も多く含み４４０ｎｍ付近の波長の光をその次に多く含んでおり、上記第２の光が６１０ｎｍ付近の波長の光であってもよい
【００１２】
【発明の実施の形態】
以下、本発明の実施例を図面を参照して説明する。図１は、本発明による保育器のフード用カバー１の一つの使用状態を示す斜視図である。保育器２１のフード２３には、新生児などを出し入れするための扉２７が前側に設けられており、また、この扉２７を開くことなく看護婦等がフード２３内に手を入れて、収容された新生児などに対して様々な処置を行うことができるように、この扉２７やフード２３の壁面に、開閉可能な手入れ窓（図示せず）が設けられている。
【００１３】
カバー１は、例えばビニル樹脂のような柔軟な合成樹脂から成るシート３により、全体として保育器２１のフード２３とほぼ相似形に形成されている。しかし、カバー１は、保育器２１のフード２３の天面２５に対応する上面５を中心として平面に展開するとほぼ十字状になるように形成されており、保育器２１のフード２３の前後左右の壁面にそれぞれ対向する前後左右の面９、１１、１３、１５を別々にめくることができる。そしてカバー１が保育器２１のフード２３に装着された際に、前後左右の面９、１１、１３、１５がめくれないように、互いに隣接する面９、１１、１３、１５が係止部材１７（例えばマジックテープ（商標））で連結される。また、カバー１の上面５にも係止部材１７が設けられている。
【００１４】
カバー１の上面５には、光線治療器３１からの光を通すための開口部７が形成されている。光線治療器３１は、例えば複数本のＢＧ形蛍光管を光源として備えており、５２０ｎｍ付近の波長の光を最も多く含み４４０ｎｍ付近の波長の光をその次に多く含んでいる。そして光線治療器３１から発せられた光はカバー１の開口部７から透明なフード２３内に殆ど減衰されずに照射されるので、フード２３がカバー１で覆われていてもフード２３内に収容されている新生児などの例えば黄疸の治療及び／又は予防を光線治療器３１によって効果的に行うことができる。一方、カバー１は、透光性を有しているが、光線治療器３１から発せられる光の色とほぼ補色関係にあるピンクがかった色に対応する６１０ｎｍ付近の波長の光をより多く透過する。従って、光線治療器３１から発せられてフード２３内の新生児などで反射された光がフード２３内からカバー１を透過して外部に向かうとき、この光に含まれている６１０ｎｍ付近の波長の光はあまり減衰されずにカバー１を透過するが、それ以外の波長の光はカバー１を透過する際に減衰される。
【００１５】
即ち、光線治療器３１から多く発せられる５２０ｎｍ付近及び４４０ｎｍ付近の波長の光は、カバー１を透過する際にそれらの強度が低下する。そして、カバー１を透過する際に強度があまり低下しない６１０ｎｍ付近の波長の光と、強度が低下した５２０ｎｍ付近及び４４０ｎｍ付近の波長の光とのバランスにより、カバー１から外部に向かう光は、ほぼ無彩色（白色）に見える。
【００１６】
また、カバー１自体の色は、カバー１から外部に向かう光が無彩色（白色）であるために透明に見える。従って、光線治療器３１を使用したまま、黄疸の治療及び／又は予防を行うためにフード２３内に収容されている新生児などの肌の色を正確に観察することができる。
【００１７】
図２は、図１に示したカバー１の他の使用状態を示す斜視図である。この図２に示すように、カバー１の前面９の係止部材１７を上面５の係止部材１７に係止させることにより、前面９をめくりあげた状態に保持することができる。これにより、扉２７を開いて新生児などを出し入れする際に、前面９が邪魔にならない。
【００１８】
以上、本発明の実施例について説明したが、本発明による保育器のフード用カバーは、実施例の他にも様々な実施の態様をとり得る。
【００１９】
例えば、図２に示した実施例では、保育器２１のフード２３に設けられている扉２７を開閉する際に、この扉２７に対向する面９をめくりあげることができるように、この面９の両側部に切れ込みを設けたが、保育器のフードに設けられている開閉部が手入れ窓のような小さなものである場合は、この手入れ窓に対向する面に手等を通すことができる程度の１つの切れ込みを設けてもよい。
【００２０】
また、光線治療器が実施例で説明したＢＧ形蛍光管を用いず、点灯時に４７０ｎｍ付近の波長の光が特に多くて青白く発光するＢＷ形（ブルーホワイト系）蛍光管を使用するものであれば、カバーとして、６６０ｎｍ付近の波長の光を特に多く透過させ、かつ４４０ｎｍ付近及び５５０ｎｍ付近の波長の光も多少多く透過させて赤みがかった色のものを用いればよい。
【００２１】
また、光線治療器を、黄疸の治療及び／又は予防に用いるものとして説明したが、光線治療器を利用して黄疸以外にも様々な疾病の治療及び／又は予防が可能である。従って、光線治療器から発せられる光の波長特性が個々の疾病に応じて異なる場合があり得るが、その際のカバーの色は、光線治療器から発せられる光の色に対して補色関係にある色を選択すればよい。
【００２２】
【発明の効果】
本発明による保育器のフード用カバーは、光線治療器から発せられる第１の光と補色関係にある第２の光の透過率が相対的に高い透光性材料から成っている。これにより、光線治療器から発せられた光は、フード内からカバーを透過して外部に向かうときに、第１の光の強度が低下し、この第１の光と補色関係にある第２の光の強度があまり低下せず、これら第１の光と第２の光との強度がバランスして、ほぼ無彩色（白色）に見える。従って、光線療法用の特殊な分光特性を有する光源のみを備えた光線治療器を使用したままで、フード内に収容された新生児などの本当の肌の色を正確に観察することができる。
【００２３】
また、カバーには光を通過させるための開口部が設けられており、光線治療器から発せられた光がこの開口部からフード内に殆ど減衰されずに照射される。このために、疾病の治療及び／又は予防を光線治療器によって効果的に行うことができる。
【００２４】
さらに、カバーから外部に向かう光がほぼ無彩色に見えるので、室内全体の色彩が光線治療器から発せられる光の色に影響されず、この室内で作業する看護婦や医師の眼の疲労を防止できる。
【００２５】
また、カバーから外部に向かう光がほぼ無彩色に見えて光線治療器を使用したままで新生児などの本当の肌の色を正確に観察することができるにも拘らず、光線治療器は光線療法用の光を発する光源のみを備えればよく、複数種類の特殊な分光特性の光源を備える必要がないので、光線治療器の使用コストを低減することができる。
【００２６】
また、柔軟性を有する透光性材料から成るカバーは、保育器のフードに対する着脱が容易に行えるので、光線治療器の使用／非使用に応じて迅速に対応することができる。
【００２７】
また、非使用時にはカバーを折り畳んで収納することができるので、光線治療器や保育器の近くに保管しても邪魔にならない。
【００２８】
さらに、このカバーは、保育器のフードに設けられている開閉部に対向する面の両側部に切れ込みが設けられている。従って、カバーをフードから取り外さなくても、開閉部に対向する面をめくるだけでこのこの開閉部を通してフード内にアクセスすることができ、フード内に収容されている新生児などに対する処置を迅速に行うことができる。
【００２９】
また、第１の光が５２０ｎｍ付近の波長の光を最も多く含み４４０ｎｍ付近の波長の光をその次に多く含んでおり、第２の光が６１０ｎｍ付近の波長の光である場合には、フード内に収容された新生児などに対して黄疸の治療及び／又は予防を効果的に行うことができるだけでなく、新生児などの本当の肌の色を正確に観察することができ、黄疸の治療及び／又は予防の効果を正確に把握することができる。
【図面の簡単な説明】
【図１】本発明による保育器のフード用カバーの一実施例を保育器及び光線治療器と組み合わせて示す斜視図である。
【図２】図１に示す状態で保育器のフード用カバーの一部をめくり、保育器のフードの扉を開いた状態を示す斜視図である。
【図３】保育器と光線治療器とを組み合わせただけの従来の状態を示す斜視図である。
【図４】図３に示す状態で光線治療器を点灯させて、保育器のカバーの外部で測定した分光特性の一例を示すグラフである。
【符号の説明】
１      保育器のフード用カバー（カバー）
３      シート（透光性材料）
７      開口部
２１    保育器
２３    フード
３１    光線治療器
【図１】
0003711185.tif 000002
【図２】
0003711185.tif 000003
【図３】
0003711185.tif 000004
【図４】
0003711185.tif 000005